(57)【要約】【課題】フェムトセルに来訪したユーザの情報を確認した上で、フェムトセル内にある機器の制御機能を提供できる構成の提供。【解決手段】所定のサービスエリアをカバーするフェムトセル基地局として機能する基地局は、接続中の携帯端末に対して、所定の制御対象機器の制御機能を提供する。更に、基地局は、前記制御機能を利用して、所定の制御対象機器に対し携帯端末の情報を送信し、当該制御対象機器の表示部に表示させる。【選択図】図１
2010161506.tif 000002
【特許請求の範囲】
【請求項１】
所定のサービスエリアをカバーするフェムトセル基地局として機能するとともに、接続中の携帯端末に対して、所定の制御対象機器の制御機能を提供する手段を備え、
前記制御機能を利用して、所定の制御対象機器に対し携帯端末の情報を送信し、当該制御対象機器の表示部に表示させる基地局。
【請求項２】
各携帯端末がフェムトセル基地局に接続した回数を記録し、前記携帯端末の情報として、訪問回数を表示させる請求項１に記載の基地局。
【請求項３】
携帯端末ユーザの商品購入履歴又は嗜好情報を収集したユーザデータベースから、前記携帯端末に対応するユーザデータを取得し、前記携帯端末の情報として、購入履歴又は嗜好情報を表示させる請求項１又は２に記載の基地局。
【請求項４】
制御対象機器と、請求項１から３いずれか一に記載の基地局とを含む機器制御システム。
【請求項５】
所定のサービスエリアをカバーするフェムトセル基地局が、携帯端末から、携帯端末の識別情報を受け付けるステップと、
前記フェムトセル基地局が、該フェムトセルに在圏する携帯端末の情報を含んだ制御信号を生成して、所定の制御対象機器に送信し、当該制御対象機器の表示部に表示させるステップと、
前記フェムトセル基地局が、所定のタイミングで、接続中の携帯端末に対し、制御対象機器のリストを送信し、所望の制御対象機器に対する制御内容を受け付けるステップと、
前記フェムトセル基地局が、前記受け付けた制御内容に基づいた制御信号を生成して、該当する制御対象機器を制御するステップと、を含む機器制御方法。
【請求項６】
前記フェムトセル基地局が、各携帯端末がフェムトセル基地局に接続した回数を記録し、前記携帯端末の情報として、訪問回数を表示させる請求項５に記載の機器制御方法。
【請求項７】
携帯端末ユーザの商品購入履歴又は嗜好情報を収集したユーザデータベースから、前記携帯端末に対応するユーザデータを取得し、前記携帯端末の情報として、購入履歴又は嗜好情報を表示させる請求項５又は６に記載の機器制御方法。
【請求項８】
請求項１から３いずれか一に記載の基地局から受信した携帯端末の情報を表示する表示部を備えた機器。
【発明の詳細な説明】
【技術分野】
【０００１】
本発明は、基地局、機器制御システム、機器制御方法及び機器に関し、特に、所定のサービスエリアをカバーするフェムトセル基地局として機能する基地局、該基地局を利用した機器制御システム、機器制御方法及び機器に関する。
【背景技術】
【０００２】
平成２０年１２月２日に、総務省より「フェムトセル基地局の活用に係る電波法及び電気通信事業法関係法令の適用関係に関するガイドライン」が公表されている。フェムトセル基地局を各所に配置することにより、マクロセルを有する基地局ではカバーできなかった、マクロセル基地局同士の境界領域やビルの奥、地下、屋内における通話とデータ容量の双方を向上させることができる。
【０００３】
例えば、特許文献１には、通常の基地局とは別に家庭用基地局を設置し、この家庭用基地局を介して通話サービスのほか、家電機器の自動制御、遠隔制御を行うことが開示されている。
【先行技術文献】
【特許文献】
【０００４】
【特許文献１】特開２００６−１４０６９１号公報
【発明の概要】
【発明が解決しようとする課題】
【０００５】
フェムトセル基地局の設置場所としては、特許文献１のような家庭内のほか、ユーザが直接訪れる小売店舗や各種施設等が有望視されている。例えば、小売店舗にフェムトセル基地局を配置した場合、特許文献１のように家庭内での使用を前提とし、ユーザ側にあらゆる機器の制御権限を与えるのではなく、ユーザの属性等を確認して、当該ユーザに機器の制御機能を提供したいという要請がある。
【０００６】
本発明は、上記した事情に鑑みてなされたものであって、フェムトセルに来訪したユーザの情報を確認した上で、フェムトセル内にある機器の制御機能を提供できる構成、機器制御方法を提供することを目的とする。
【課題を解決するための手段】
【０００７】
本発明の第１の視点によれば、所定のサービスエリアをカバーするフェムトセル基地局として機能するとともに、接続中の携帯端末に対して、所定の制御対象機器の制御機能を提供する手段を備え、前記制御機能を利用して、所定の制御対象機器に対し携帯端末の情報を送信し、当該制御対象機器の表示部に表示させる基地局が提供される。
【０００８】
本発明の第２の視点によれば、所定のサービスエリアをカバーするフェムトセル基地局が、携帯端末から、携帯端末の識別情報を受け付けるステップと、前記フェムトセル基地局が、該フェムトセルに在圏する携帯端末の情報を含んだ制御信号を生成して、所定の制御対象機器に送信し、当該制御対象機器の表示部に表示させるステップと、前記フェムトセル基地局が、所定のタイミングで、接続中の携帯端末に対し、制御対象機器のリストを送信し、所望の制御対象機器に対する制御内容を受け付けるステップと、前記フェムトセル基地局が、前記受け付けた制御内容に基づいた制御信号を生成して、該当する制御対象機器を制御するステップと、を含む機器制御方法が提供される。
【０００９】
本発明の第３の視点によれば、制御対象機器と、上記した基地局とを含む機器制御システム及び上記した基地局から受信した携帯端末の情報を表示する表示部を備えた機器が提供される。
【発明の効果】
【００１０】
本発明によれば、フェムトセル基地局として機能する基地局を介して、店内等の制御対象機器の制御を行う可能性のある携帯端末の情報を表示することが可能になるため、店舗側で制御対象となる機器の電源を入れたり、設定を変更したり、他の特典を与えるなどの顧客サービスを行うことが可能となる。
【図面の簡単な説明】
【００１１】
【図１】本発明の概要を説明するための図である。
【図２】携帯端末の移動に伴う、基地局（フェムトセル基地局）、制御対象機器の間の状態遷移を示す図である。
【図３】本発明の第１の実施形態の構成を表したブロック図である。
【図４】本発明の第１の実施形態の動作を表したシーケンス図である。
【図５】本発明の携帯端末に表示される制御対象機器のリストの例である。
【発明を実施するための形態】
【００１２】
始めに、図１を参照して本発明の概要を説明する。本発明は、所定のサービスエリアをカバーするフェムトセル基地局として機能する基地局２０を用いる。フェムトセルに入ったユーザの携帯端末１０には、フェムトセルに入った旨、あるいは、特定の店舗に入店した旨が表示される。この表示により、携帯端末１０のユーザは、フェムトセル基地局を利用して音声通話の発着信や電子メールを送受信が可能なエリアであることを認識できる。
【００１３】
また、本発明に係る基地局２０は、携帯端末１０から、当該基地局を設置した店舗の管理者等が定めた機器（「制御対象機器」という。）３０の操作内容を受け付け、制御対象機器３０を制御する機能を有している。制御対象機器には、顧客にポイントを付与する店頭端末や、注文内容を受け付ける注文端末や、あるいは、エアコンや照明等の各種電化製品が含まれる。
【００１４】
更に、本発明に係る基地局２０は、前記制御対象機器３０の制御機能を利用して、このような制御対象機器のうちのいずれかに、携帯端末１０の情報を表示させる機能を有している。携帯端末１０の情報としては、携帯端末１０のユーザの最近の購入履歴、好み等の嗜好や当該店舗への訪問回数等が挙げられる。当該基地局を設置した店舗の管理者や接客担当者は、表示された情報を参照して、制御対象機器３０の電源を入れたり、設定を変更したり、あるいは、他の特典を与えるのなどの顧客サービスを行うことが可能となる。
【００１５】
また、店舗の従業員等に、制御対象機器３０の電源を入れてもらったり、設定を変更してもらうことによって、制御対象となる機器を増やしたり、所望の機能を選択可能とする等の携帯端末１０のユーザの利便性も向上する。
【００１６】
［第１の実施形態］
続いて、本発明の第１の実施形態について図面を参照して詳細に説明する。図２は、フェムトセル圏外からフェムトセル圏内への携帯端末１０の移動に伴う、基地局（以下、既存の基地局（マクロセル基地局）との区別のため「フェムトセル基地局」と記載する。）２０、制御対象機器３０の間の状態遷移を示す図である。
【００１７】
図２の左側の図は、携帯端末１０がフェムトセル圏外にいる状態を表している。この状態では、携帯端末１０は、既存のマクロセルを有するマクロセル基地局４０と接続し、各種通信サービスを受けることが可能となっている。
【００１８】
この時、携帯端末１０とフェムトセル基地局２０とは非通信状態であり、フェムトセル圏内に存在する制御対象機器３０が、フェムトセル基地局２０からの制御を受けることない。
【００１９】
その後、携帯端末１０のユーザがフェムトセル圏内に移動すると図２の右側の図のように遷移する。
【００２０】
フェムトセル圏内に移動すると、携帯端末１０はフェムトセル基地局２０に接続を要求し、フェムトセル基地局２０からも、音声通話サービス等のほか、下記のような各種サービスを受けることが可能となる。
【００２１】
例えば、フェムトセル基地局２０は、上記携帯端末１０の移動を検知して、制御対象機器３０に所定の制御信号を送信する。これにより、制御対象機器３０は、携帯端末１０の接近に応じた動作を開始する。
【００２２】
更に、フェムトセル基地局２０は、上記携帯端末１０の移動を検知すると自動的に、制御対象機器３０に対し、その表示部（図１の３１ａ）に表示すべき携帯端末１０の情報を表示する旨の制御信号を送信する。これにより、制御対象機器３０は、その表示部（図１の３１）にフェムトセル基地局２０から送られた情報を表示する。
【００２３】
また、例えば、フェムトセル基地局２０は、携帯端末１０からの所望の制御対象機器３０に対する制御信号を受け付け、適宜変換を行った上で、制御対象機器３０に送信する。これにより、制御対象機器３０は、携帯端末１０からの指示されたとおりの動作を開始する。
【００２４】
図３は、本発明の第１の実施形態の詳細構成を表したブロック図である。図２における携帯端末１０がフェムトセル圏内に在圏している状態を表している。
【００２５】
携帯端末１０は、操作部１１、制御回路１２、音声回路１３、表示回路１４、無線回路１５及びチャネルコーデック１６を含んで構成されている。このような携帯端末１０としては、フェムトセル基地局２０と通信可能な装置であればよく、携帯電話端末のほか、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ：個人向け携帯型情報通信機器）等の携帯型の通信装置が含まれる。
【００２６】
フェムトセル基地局２０は、制御回路２１、無線回路２２及びユーザデータベース（ユーザＤＢ）２３を含んで構成されている。
【００２７】
ユーザＤＢ２３は、携帯端末１０の識別情報を用いて、ユーザの訪問回数や、ユーザの過去の購入履歴やユーザの好み等の情報を紐付けて格納するデータベースである。ユーザの訪問回数は、フェムトセル基地局２０への接続時に、該当ユーザの訪問回数を増やすことによって記録することができる。ユーザの過去の購入履歴やユーザの好み等の情報は、フェムトセル基地局２０を設置した店舗の会計端末等からこれらのデータを受信するなどにより更新される。ユーザの好み等は、ユーザが事前に登録できるようにしてもよい。また、本実施形態では、フェムトセル基地局２０が、ユーザＤＢ２３を備えるものとしているが、携帯端末１０側にユーザＤＢを設け、携帯端末１０からこれらの情報を送信することとしてもよい。
【００２８】
制御対象機器３０は、表示回路３１、制御回路３２、音声回路３３及び無線回路３５を含んで構成されている。このような制御対象機器３０としては、顧客にポイントを付与する店頭端末、注文内容を受け付ける注文端末、あるいは、各種情報家電と呼ばれる機器が含まれる。
【００２９】
続いて、本実施形態の動作について図面を参照して詳細に説明する。図４は、本実施形態の動作例を示したシーケンス図である。
【００３０】
まず、携帯端末１０の制御回路１２は、無線回路１５を介してフェムトセル基地局２０に対して、携帯端末１０の加入者情報等の識別情報を送信し、フェムトセル基地局２０への接続を要求する（ステップＳ１）。
【００３１】
フェムトセル基地局２０の制御回路２１は、携帯端末１０より受信した識別情報を用いて、ユーザＤＢ２３の該識別情報に対応するユーザの訪問回数を更新するとともに、接続処理を行う。フェムトセル基地局２０の制御回路２１は、ユーザＤＢ２３の内容に基づいて、携帯端末１０の情報を表示するための制御信号を作成し、無線回路２２を介して、制御対象機器３０に送信する（ステップＳ２）。
【００３２】
制御対象機器３０の制御回路３２は、無線回路３５より受信した制御信号に基づき、表示回路３１への所定情報の表示や、音声回路３３からの音声の出力等を指示する（ステップＳ３）。
【００３３】
例えば、携帯端末１０の情報として、フェムトセル基地局２０から、ユーザの購入履歴、好み（嗜好情報）及び訪問回数を表示する制御信号を受信した場合、指定された制御対象機器３０の制御回路３２は、表示回路３１に、図１に示した表示を行うよう指示する。
【００３４】
上記表示が完了すると、制御対象機器３０の制御回路３２は、制御完了の信号を制御対象機器３０の無線回路３５より、フェムトセル基地局２０に送信する。フェムトセル基地局２０は、無線回路２２にて制御完了の信号を受信する。
【００３５】
その後、例えば、当該基地局を設置した店舗の管理者や接客担当者が、表示された情報を参照して、制御対象機器３０の電源を入れ、設定変更を行う。例えば、携帯端末ユーザが、過去にどのような商品を購入したりやサービスを利用したかや、好みや、訪問回数に応じて、制御対象機器３０の電源を入れ、設定変更を行うことができる。これらの情報は、当該ユーザに対する特典や特別なサービス等の提供に利用することもできる。
【００３６】
制御対象機器３０の増減や設定変更の検出時や一定時間間隔などの予め定められたタイミングで（ステップＳ４の「Ｙ」）、フェムトセル基地局２０の制御回路２２は、携帯端末１０に対し、制御対象機器３０のリストを送信する（ステップＳ５）。
【００３７】
携帯端末１０の制御回路１２は、フェムトセル基地局２０から受信した制御対象機器３０のリストに基づいて、表示回路１４に制御対象機器３０の一覧や制御対象機器３０に対する制御内容を受け付ける画面等を表示する（ステップＳ６）。図５は、携帯端末１０が、フェムトセル基地局２０から受信した制御対象機器３０のリストを表示した状態を示している。
【００３８】
携帯端末１０の制御回路１２は、操作部１１からキー操作や音声回路１３から音声信号を受け付け、これらに対応する制御信号を、無線回路１５を介してフェムトセル基地局２０に送信する（ステップＳ７）。
【００３９】
フェムトセル基地局２０の制御回路２１は、携帯端末１０から受信した制御信号に基づいて、制御対象とされた機器に応じた制御信号を作成し、無線回路２２を介して、制御対象機器３０に送信する（ステップＳ８）。
【００４０】
制御対象機器３０の制御回路３２は、表示回路３１、音声回路３３等に、無線回路３５より受信した制御信号に応じた動作を指示する（ステップＳ９）。
【００４１】
以上のように、本実施形態によれば、ユーザの属性に応じて制御に供する機器やその機能の選択や設定を最適化することが可能となるため、当該フェムトセル基地局を設置した店舗等におけるユーザの利便性を格段に向上させることが可能になる。また、上記の結果、フェムトセル基地局の普及にも一層の拍車が掛かることが期待される。
【００４２】
以上、本発明の好適な実施形態及びその具体的実施態様を説明したが、本発明は、上記した実施形態やその具体的実施態様に限定されるものではなく、本発明の基本的技術的思想を逸脱しない範囲で、更なる変形・置換・調整を加えることができる。
【符号の説明】
【００４３】
１０  携帯端末
１１  操作部
１２  制御回路
１３  音声回路
１４  表示回路
１４ａ  表示部
１５  無線回路
１６  チャネルコーデック
２０  基地局（フェムトセル基地局）
２１  制御回路
２２  無線回路
２３  ユーザＤＢ（ユーザデータベース）
３０  制御対象機器
３１  表示回路
３２  制御回路
３３  音声回路
３５  無線回路
４０  マクロセル基地局
【図１】
2010161506.tif 000003
【図２】
2010161506.tif 000004
【図３】
2010161506.tif 000005
【図４】
2010161506.tif 000006
【図５】
2010161506.tif 000007